(57)【要約】【課題】乗場ドアが解錠される際に注意喚起を行うことができる解錠工具を提供する。【解決手段】解錠工具２１は、ハンドル２２、鍵棒２３、スリーブ２４、及びブザー２６を備える。ブザー２６は、スリーブ２４が第２位置に配置されると鳴動する。スリーブ２４は、鍵棒２３が鍵孔１４に差し込まれる前は第１位置に配置される。スリーブ２４は、鍵棒２３が鍵孔１４に差し込まれて解錠部材１７に対する操作位置に配置された状態では第２位置に配置される。【選択図】図８
2020111439.tif 000002
【特許請求の範囲】
【請求項１】
エレベーターの乗場ドアに形成された鍵孔に前記乗場ドアの表面側から差し込まれ、前記乗場ドアの裏面側に配置された解錠部材を特定の方向に変位させることによって前記乗場ドアを解錠するための解錠工具であって、
ハンドルと、
前記ハンドルに設けられた鍵棒と、
前記鍵棒に対して第１位置及び第２位置に変位可能な可動体と、
前記可動体が前記第２位置に配置されると警報を発する警報器と、
を備え、
前記可動体は、
前記鍵棒が前記鍵孔に差し込まれる前は前記第１位置に配置され、
前記鍵棒が前記鍵孔に差し込まれて前記解錠部材に対する操作位置に配置された状態では前記第２位置に配置され、
前記操作位置は、前記鍵棒によって前記解錠部材を前記特定の方向に変位させるための位置である解錠工具。
【請求項２】
前記可動体は、前記鍵棒の軸方向に沿って変位可能であり、前記鍵棒が前記鍵孔に差し込まれると、前記乗場ドアの表面に接触することによって前記鍵棒に対して移動する請求項１に記載の解錠工具。
【請求項３】
前記可動体は、前記鍵棒の軸方向に沿って変位可能であり、前記鍵棒が前記鍵孔に差し込まれると、前記乗場ドアの裏面側に配置された固定部材に接触することによって前記鍵棒に対して移動する請求項１に記載の解錠工具。
【請求項４】
エレベーターの乗場ドアに形成された鍵孔に前記乗場ドアの表面側から差し込まれ、前記乗場ドアの裏面側に配置された解錠部材を特定の方向に変位させることによって前記乗場ドアを解錠するための解錠工具であって、
ハンドルと、
前記ハンドルに対して変位可能に設けられた鍵棒と、
特定の操作が行われると、前記鍵棒を前記ハンドルに対して解錠位置に固定する操作片と、
前記操作片に対して前記特定の操作が行われると警報を発する警報器と、
を備え、
前記解錠位置は、前記鍵孔に差し込まれた前記鍵棒によって前記解錠部材を前記特定の方向に変位させるための位置である解錠工具。
【請求項５】
前記鍵棒は、前記ハンドルに対して回転可能に設けられ、
前記操作片に対して前記特定の操作が行われると、前記鍵棒は、前記ハンドルに対して回転しないように前記ハンドルに対して固定される請求項４に記載の解錠工具。
【請求項６】
前記鍵棒は、前記ハンドルからの突出量が変化するように前記ハンドルに設けられ、
前記操作片に対して前記特定の操作が行われると、前記鍵棒は、前記ハンドルからの突出量が最も大きくなる位置で前記ハンドルに対して固定される請求項４に記載の解錠工具。
【請求項７】
前記鍵棒は、前記ハンドルに対して屈曲するように前記ハンドルに設けられ、
前記操作片に対して前記特定の操作が行われると、前記鍵棒は、前記ハンドルと一直線状になるように前記ハンドルに対して固定される請求項４に記載の解錠工具。
【請求項８】
前記操作片は、前記ハンドルに設けられたボタンであり、
前記ボタンが押されると、前記鍵棒が前記ハンドルに対して前記解錠位置に固定される請求項４から請求項７の何れか一項に記載の解錠工具。
【発明の詳細な説明】
【技術分野】
【０００１】
この発明は、エレベーターの乗場ドアを解錠するための解錠工具に関する。
【背景技術】
【０００２】
特許文献１に、エレベーターの乗場ドアを解錠するための解錠工具が記載されている。例えば、保守員は、エレベーター装置の点検作業を行う際に、特許文献１に記載された解錠工具を使用し、乗場ドアを解錠する。
【先行技術文献】
【特許文献】
【０００３】
【特許文献１】特開２０１６−３７３２６号公報
【発明の概要】
【発明が解決しようとする課題】
【０００４】
特許文献１に記載されたような解錠工具は、一般に、専門知識を有したエレベーターの保守員によって使用される。しかし、病院等の特定の建物では、実技指導を受けた担当者が解錠工具を使用する場合がある。従来の解錠工具では、例えば保守員以外の人が解錠工具を使用する場合に注意喚起がなされないといった問題があった。
【０００５】
この発明は、上述のような課題を解決するためになされた。この発明の目的は、乗場ドアが解錠される際に注意喚起を行うことができる解錠工具を提供することである。
【課題を解決するための手段】
【０００６】
この発明に係る解錠工具は、ハンドルと、ハンドルに設けられた鍵棒と、鍵棒に対して第１位置及び第２位置に変位可能な可動体と、可動体が第２位置に配置されると警報を発する警報器と、を備える。可動体は、鍵棒が鍵孔に差し込まれる前は第１位置に配置される。可動体は、鍵棒が鍵孔に差し込まれて解錠部材に対する操作位置に配置された状態では第２位置に配置される。操作位置は、鍵棒によって解錠部材を特定の方向に変位させるための位置である。
【０００７】
この発明に係る解錠工具は、ハンドルと、ハンドルに対して変位可能に設けられた鍵棒と、特定の操作が行われると、鍵棒をハンドルに対して解錠位置に固定する操作片と、操作片に対して特定の操作が行われると警報を発する警報器と、を備える。解錠位置は、鍵孔に差し込まれた鍵棒によって解錠部材を特定の方向に変位させるための位置である。
【発明の効果】
【０００８】
この発明によれば、乗場ドアが解錠される際に注意喚起を行うことができる。
【図面の簡単な説明】
【０００９】
【図１】エレベーター装置の例を示す図である。
【図２】乗場ドアを乗場側から見た図である。
【図３】錠装置を図１のＡ−Ａ方向から見た図である。
【図４】実施の形態１における解錠工具の例を示す図である。
【図５】解錠工具の断面を示す図である。
【図６】解錠工具の断面の他の例を示す図である。
【図７】解錠工具の使用方法を説明するための図である。
【図８】解錠工具の使用方法を説明するための図である。
【図９】解錠工具の他の例を示す図である。
【図１０】解錠工具の使用方法を説明するための図である。
【図１１】解錠工具の使用方法を説明するための図である。
【図１２】実施の形態２における解錠工具の例を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、エレベーター装置の例を示す図である。エレベーター装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。
【００１２】
主ロープ４は、巻上機５の駆動綱車６に巻き掛けられる。巻上機５は、制御装置７によって制御される。例えば、制御装置７は、駆動綱車６の回転及び停止を制御する。かご１は、駆動綱車６の回転に応じて移動する。
【００１３】
かご１は、例えばかごドア８及び駆動装置９を備える。かごドア８は、駆動装置９によって駆動される。駆動装置９は、制御装置７によって制御される。乗場１０に、乗場ドア１１、及び錠装置１２が設けられる。乗場ドア１１は、錠装置１２によって施錠される。乗場１０に、乗場ドア１１を駆動するための装置は設けられていない。乗場ドア１１は、かご１のかごドア８を介して駆動装置９によって駆動される。即ち、かご１がある乗場１０に停止し、駆動装置９によってかごドア８が開放されると、その乗場１０に設けられた乗場ドア１１は、かごドア８の開放動作によって解錠され、且つ開放される。
【００１４】
図２は、乗場ドア１１を乗場１０側から見た図である。乗場ドア１１は、乗場三方枠１３によって形成された出入口を開閉する。乗場ドア１１に、鍵孔１４が形成される。
【００１５】
図３は、錠装置１２を図１のＡ−Ａ方向から見た図である。錠装置１２は、例えばフック１５、受け部材１６、解錠部材１７、及びスイッチ１８を備える。
【００１６】
フック１５は、軸１９によって乗場ドア１１に回転可能に設けられる。軸１９は、乗場ドア１１の裏面１１ａから垂直に突出する。裏面１１ａは、昇降路３側を向く面である。フック１５は、乗場ドア１１の裏面１１ａ側に配置される。受け部材１６は、例えば取付部材２０を介して昇降路３の固定体に固定される。フック１５の先端部分が受け部材１６に上方から掛かることにより、乗場ドア１１が施錠される。図３は、乗場ドア１１が施錠されている状態を示す。
【００１７】
解錠部材１７は、フック１５を受け部材１６から外すための部材である。図３に示す例では、解錠部材１７は、フック１５の直下に配置される。解錠部材１７は、乗場ドア１１に対して上下に変位可能となるように、乗場ドア１１の裏面１１ａ側に配置される。例えば、解錠部材１７は、解錠部材１７に形成された長孔にボルトが通されることにより、このボルトによって乗場ドア１１に支持される。
【００１８】
図３は、解錠部材１７が最も低い位置に配置された状態を示す。図３に示す状態では、解錠部材１７の上端がフック１５に対向する。図３に示す状態から解錠部材１７が上方に移動すると、解錠部材１７の上端がフック１５に下方から接触する。そして、解錠部材１７が更に上方に移動すると、フック１５が解錠部材１７によって持ち上げられ、先端部分が受け部材１６から外れるように軸１９を中心に回転する。これにより、乗場ドア１１が解錠される。フック１５の先端部分が受け部材１６から外れたこと、即ち乗場ドア１１が解錠されたことは、スイッチ１８によって検出される。
【００１９】
図４は、実施の形態１における解錠工具２１の例を示す図である。解錠工具２１は、かご１が停止していない乗場１０において、その乗場１０に設けられた乗場ドア１１を乗場１０側からの操作によって解錠するための工具である。具体的に、解錠工具２１は、乗場ドア１１に形成された鍵孔１４に、乗場ドア１１の表面１１ｂ側から差し込まれる。そして、鍵孔１４に差し込まれた解錠工具２１によって解錠部材１７が特定の方向に変位されることにより、乗場ドア１１が解錠される。
【００２０】
図４は、レバー式の解錠工具２１を示す。図５は、解錠工具２１の断面を示す図である。解錠工具２１は、例えばハンドル２２、鍵棒２３、スリーブ２４、ばね２５、及びブザー２６を備える。
【００２１】
ハンドル２２は、乗場ドア１１の解錠操作を行う人が持つ部分である。図４は、円柱形状のハンドル２２を一例として示す。ハンドル２２の形状は、図４に示す例に限定されない。
【００２２】
鍵棒２３は、ハンドル２２に設けられた棒状の部材である。図４に示す例では、鍵棒２３の断面形状はＴ字形状であり、鍵孔１４の形状と同じである。鍵棒２３は、ハンドル２２の端面２２ａから突出する。鍵棒２３は、ハンドル２２に対して一直線状に配置される。
【００２３】
スリーブ２４は、筒状の部材である。スリーブ２４は、例えばハンドル２２の端面２２ａから突出するようにハンドル２２に設けられる。スリーブ２４は、鍵棒２３が中空部分を貫通するように鍵棒２３の周囲に配置される。スリーブ２４は、鍵棒２３の軸方向に沿って変位可能である。即ち、スリーブ２４は、ハンドル２２の端面２２ａからの突出量が変化する。例えば、スリーブ２４は、ハンドル２２の内部において、ばね２５から常に力を受ける。スリーブ２４に対してばね２５からの力以外の力が作用していなければ、スリーブ２４は第１位置に配置される。第１位置は、例えば、端面２２ａからのスリーブ２４の突出量が最も大きくなる位置である。図５は、スリーブ２４が鍵棒２３に対して第１位置に配置された状態を示す。
【００２４】
図６は、解錠工具２１の断面の他の例を示す図である。図５に示す状態でスリーブ２４が右向きの力を受けると、スリーブ２４は、ばね２５からの力に抗してＢ方向に移動する。図６は、図５に示す状態からスリーブ２４がＢ方向に移動し、スリーブ２４が鍵棒２３に対して第２位置に配置された状態を示す。第２位置は、例えば、端面２２ａからのスリーブ２４の突出量が最も小さくなる位置である。スリーブ２４が第２位置に配置された状態では、例えば、スリーブ２４に設けられた接点２４ａがハンドル２２に設けられた接点２２ｂに接触する。ブザー２６は、接点２４ａが接点２２ｂに接触することによって鳴動する。即ち、スリーブ２４が第２位置に配置されると、ブザー２６は鳴動する。ブザー２６は、例えばハンドル２２に設けられる。
【００２５】
次に、図７及び図８も参照し、解錠工具２１の使用方法について説明する。図７及び図８は、解錠工具２１の使用方法を説明するための図である。
【００２６】
解錠工具２１は、例えば、病院といった特定の建物にいる人のうち、実技指導を受けた担当者によって使用される。なお、エレベーターの保守員を含む全ての人が解錠工具２１を使用することが可能である。しかし、解錠工具２１は、上記担当者用として特定の建物に配備されることが好適である。
【００２７】
例えば、地震でかご１が階間に停止すると、実技指導を既に受けている担当者は、解錠工具２１を所持して乗場１０に向かう。担当者は、乗場１０に到着すると、その乗場１０の乗場ドア１１を解錠するため、解錠工具２１の鍵棒２３を乗場ドア１１の表面１１ｂ側から鍵孔１４に差し込む。
【００２８】
上述したように、スリーブ２４に作用する力がばね２５からの力だけであれば、スリーブ２４は第１位置に配置される。このため、スリーブ２４は、鍵棒２３が鍵孔１４に差し込まれる前は第１位置に配置されている。鍵棒２３が鍵孔１４に差し込まれると、先ず、スリーブ２４の先端が乗場ドア１１の表面１１ｂに接触する。
【００２９】
図７は、スリーブ２４の先端が乗場ドア１１の表面１１ｂに接触した直後の状態を示す。図７に示す状態では、鍵棒２３は、解錠部材１７に対する操作位置には配置されていない。上記操作位置は、鍵棒２３によって解錠部材１７を特定の方向に変位させるための位置である。本例であれば、操作位置は、鍵棒２３によって解錠部材１７を上方に変位させるための位置である。担当者は、鍵棒２３を操作位置に配置するため、スリーブ２４が乗場ドア１１の表面１１ｂに接触した後も解錠工具２１を乗場ドア１１側に更に押し込む。これにより、スリーブ２４は、端面２２ａからの突出量が小さくなるように鍵棒２３に対して移動する。
【００３０】
図８は、鍵棒２３の先端部分が解錠部材１７の直下に配置された状態を示す。即ち、図８は、鍵棒２３が解錠部材１７に対する操作位置に配置された状態を示す。鍵棒２３が上記操作位置に配置された状態では、スリーブ２４は第２位置に配置される。スリーブ２４が第２位置に配置されると、ブザー２６が鳴動する。ブザー２６から発せられる音により、乗場ドア１１を解錠しようとしている担当者に注意を喚起することができる。
【００３１】
鍵棒２３が上記操作位置に配置されると、担当者は、ブザー音を聞きながらハンドル２２を下方（図８に示すＣ方向）に移動させる。ハンドル２２が下方に移動すると、鍵棒２３の先端部分は上方（図８に示すＤ方向）に移動する。鍵棒２３の先端部分が上方に移動すると、鍵棒２３の先端部分が解錠部材１７に下方から接触し、解錠部材１７が上方に移動する。解錠部材１７が上方に移動すると、解錠部材１７の先端が下方からフック１５に接触する。フック１５に接触した後も解錠部材１７が上方に移動することにより、フック１５が解錠部材１７によって持ち上げられ、フック１５の先端部分が受け部材１６から外れる。即ち、乗場ドア１１が解錠される。
【００３２】
図９は、解錠工具２１の他の例を示す図である。図９は、プッシュ式の解錠工具２１を示す。図４に示したレバー式の解錠工具２１は、鍵棒２３によって解錠部材１７を上方に移動させることにより、乗場ドア１１を解錠する。一方、図９に示すプッシュ式の解錠工具２１は、鍵棒２３によって解錠部材１７を乗場ドア１１から離れるように昇降路３側に移動させることにより、乗場ドア１１を解錠する。なお、解錠部材１７の昇降路３側への移動をフック１５の回転移動に変換する機構については、如何なる機構が採用されても構わない。
【００３３】
図９に示す解錠工具２１は、例えばハンドル２２、鍵棒２３、スリーブ２４、ばね２５（図９では図示せず）、及びブザー２６を備える。図９に示す解錠工具２１は、図４に示す解錠工具２１と比較し、鍵棒２３の断面形状が異なる。
【００３４】
鍵棒２３は、ハンドル２２に設けられた棒状の部材である。図９に示すように、鍵棒２３の断面形状はＳ字形状である。かかる場合、乗場ドア１１に形成された鍵孔１４もＳ字形状である。鍵棒２３は、ハンドル２２の端面２２ａから突出する。鍵棒２３は、ハンドル２２に対して一直線状に配置される。
【００３５】
次に、図１０及び図１１も参照し、この解錠工具２１の使用方法について説明する。図１０及び図１１は、解錠工具２１の使用方法を説明するための図である。
【００３６】
例えば、地震でかご１が階間に停止すると、実技指導を既に受けている担当者は、解錠工具２１を所持して乗場１０に向かう。担当者は、乗場１０に到着すると、その乗場１０の乗場ドア１１を解錠するため、解錠工具２１の鍵棒２３を乗場ドア１１の表面１１ｂ側から鍵孔１４に差し込む。
【００３７】
上述したように、スリーブ２４は、鍵棒２３が鍵孔１４に差し込まれる前は第１位置に配置されている。鍵棒２３が鍵孔１４に差し込まれると、先ず、スリーブ２４の先端が乗場ドア１１の表面１１ｂに接触する。
【００３８】
図１０は、スリーブ２４の先端が乗場ドア１１の表面１１ｂに接触した直後の状態を示す。図１０に示す状態では、鍵棒２３は、解錠部材１７に対する操作位置には配置されていない。この例であれば、上記操作位置は、鍵棒２３によって解錠部材１７を昇降路３側に変位させるための位置である。担当者は、鍵棒２３を操作位置に配置するため、スリーブ２４が乗場ドア１１の表面１１ｂに接触した後も解錠工具２１を乗場ドア１１側に更に押し込む。これにより、スリーブ２４は、端面２２ａからの突出量が小さくなるように鍵棒２３に対して移動する。
【００３９】
図１１は、鍵棒２３の先端が解錠部材１７に乗場１０側から接触した状態を示す。即ち、図１１は、鍵棒２３が解錠部材１７に対する操作位置に配置された状態を示す。鍵棒２３が上記操作位置に配置された状態では、スリーブ２４は第２位置に配置される。スリーブ２４が第２位置に配置されると、ブザー２６が鳴動する。ブザー２６から発せられる音により、乗場ドア１１を解錠しようとしている担当者に注意を喚起することができる。
【００４０】
鍵棒２３が上記操作位置に配置されると、担当者は、ブザー音を聞きながら、解錠工具２１を乗場ドア１１側（図１１に示すＥ方向）に更に押し込む。これにより、解錠部材１７は、鍵棒２３の先端に押されて昇降路３側（図１１に示すＦ方向）に移動する。この時、解錠部材１７は、全体がＦ方向に平行移動しても良いし、ある軸を中心に回転移動しても良い。解錠部材１７が昇降路３側に移動することにより、フック１５が持ち上げられ、フック１５の先端部分が受け部材１６から外れる。即ち、乗場ドア１１が解錠される。
【００４１】
図４に示す例及び図９に示す例において、スリーブ２４は、鍵棒２３に対して第１位置及び第２位置に変位可能な可動体の一例である。スリーブ２４は、鍵棒２３が鍵孔１４に差し込まれると、乗場ドア１１の表面１１ｂに接触することによって鍵棒２３に対して移動する。解錠工具２１は、スリーブ２４の代わりに他の可動体を備えても良い。例えば、解錠工具２１は、鍵棒２３が鍵孔１４に差し込まれると、乗場ドア１１の裏面１１ａ側に配置された固定部材に接触することによって鍵棒２３に対して移動する可動体を備えても良い。
【００４２】
本実施の形態において、ブザー２６は、可動体が第２位置に配置されると警報を発する警報器の一例である。解錠工具２１は、ブザー２６の代わりに他の警報器を備えても良い。
【００４３】
実施の形態２．
図１２は、実施の形態２における解錠工具２１の例を示す図である。なお、図１２（ａ）は、乗場ドア１１に形成された鍵孔１４の例を示す。図１２（ａ）に示す例では、鍵孔１４を形成する部材３０は乗場ドア１１に回転可能に設けられる。図１２に示す例では、部材３０を特定の方向に回転させることにより、解錠部材１７が特定の方向に変位して乗場ドア１１が解錠される。例えば、部材３０が時計回りに回転すると、解錠部材１７が上方に移動して乗場ドア１１が解錠される。部材３０の回転移動を解錠部材１７の上方への移動に変換する機構については、如何なる機構が採用されても構わない。
【００４４】
図１２（ｂ）は、回転式の解錠工具２１を示す。解錠工具２１は、例えばハンドル２２、鍵棒２３、ボタン２７、及びブザー２６を備える。
【００４５】
ハンドル２２は、乗場ドア１１の解錠操作を行う人が持つ部分である。図１２は、円柱形状のハンドル２２を一例として示す。ハンドル２２の形状は、図１２に示す例に限定されない。
【００４６】
鍵棒２３は、断面形状が鍵孔１４の形状と同じ棒状の部材である。図１２は、鍵孔１４の形状及び鍵棒２３の断面形状が共に三角形状である例を示す。鍵棒２３は、ハンドル２２の端面２２ａから突出する。鍵棒２３は、ハンドル２２の端面２２ａに垂直な軸を中心に回転可能となるように、ハンドル２２に設けられる。即ち、鍵棒２３は、ハンドル２２に対して図１２に示すＧ方向に回転可能となるようにハンドル２２に設けられる。鍵棒２３は、ハンドル２２に対して一直線状に配置される。
【００４７】
ボタン２７は、特定の操作が行われた際に、鍵棒２３をハンドル２２に対して解錠位置に固定する操作片の一例である。上記解錠位置は、鍵孔１４に差し込まれた鍵棒２３によって解錠部材１７を特定の方向に変位させるための位置である。図１２に示す例では、ボタン２７は、ハンドル２２に設けられる。そして、ボタン２７が押されると、鍵棒２３がハンドル２２に対して解錠位置に固定される。図１２に示す例では、ボタン２７が押されると、鍵棒２３は、ハンドル２２に対して回転しないようにハンドル２２に対して固定される。
【００４８】
ブザー２６は、例えばハンドル２２に設けられる。ブザー２６は、ボタン２７が押されると鳴動する。
【００４９】
次に、解錠工具２１の使用方法について説明する。本実施の形態に示す例においても、解錠工具２１は、病院等において実技指導を受けた担当者によって使用されることが好ましい。
【００５０】
例えば、地震でかご１が階間に停止すると、実技指導を既に受けている担当者は、解錠工具２１を所持して乗場１０に向かう。本実施の形態に示す例では、鍵棒２３は、ハンドル２２に対して変位可能に設けられている。このため、鍵棒２３を鍵孔１４に差し込んで単にハンドル２２を回転させても、鍵棒２３がハンドル２２に対して回転してしまい、部材３０を回転させることができない。
【００５１】
そこで、担当者は、例えば、鍵棒２３を鍵孔１４に差し込む前にボタン２７を押す。これにより、鍵棒２３がハンドル２２に対して回転しなくなる。また、ボタン２７が押されることにより、ブザー２６が鳴動する。ブザー２６から発せられる音により、乗場ドア１１を解錠しようとしている担当者に注意を喚起することができる。
【００５２】
次に、担当者は、ボタン２７を押したまま、解錠工具２１の鍵棒２３を乗場ドア１１の表面１１ｂ側から鍵孔１４に差し込む。担当者は、鍵棒２３を鍵孔１４に差し込むと、ボタン２７を押したまま解錠工具２１を時計回りに回転させる。これにより、部材３０が時計回りに回転し、解錠部材１７が上方に移動する。そして、解錠部材１７が上方に移動することによってフック１５が持ち上げられ、フック１５の先端部分が受け部材１６から外れる。即ち、乗場ドア１１が解錠される。
【００５３】
本実施の形態では、鍵棒２３を鍵孔１４に差し込む前にボタン２７を押す例について説明した。担当者は、鍵棒２３を鍵孔１４に差し込んでからボタン２７を押しても良い。
【００５４】
また、本実施の形態に示す例をレバー式の解錠工具２１に適用しても良い。かかる場合、鍵棒２３は、ハンドル２２に対して屈曲するようにハンドル２２に設けられる。この例では、鍵棒２３を鍵孔１４に差し込んで単にハンドル２２を下方（図８に示すＣ方向）に移動させても、鍵棒２３がハンドル２２に対して折れ曲がり、解錠部材１７を上方に移動させることができない。鍵棒２３は、ボタン２７が押されることによってハンドル２２に対して解錠位置に固定される。即ち、鍵棒２３は、ボタン２７が押された状態ではハンドル２２に対して屈曲しない。例えば、鍵棒２３は、ボタン２７が押されると、ハンドル２２と一直線状になるようにハンドル２２に対して固定される。
【００５５】
乗場ドア１１を解錠する場合、担当者は、例えばボタン２７を押したまま、解錠工具２１の鍵棒２３を乗場ドア１１の表面１１ｂ側から鍵孔１４に差し込む。なお、ボタン２７が押されることにより、ブザー２６が鳴動する。ブザー２６から発せられる音により、乗場ドア１１を解錠しようとしている担当者に注意を喚起することができる。担当者は、鍵棒２３を鍵孔１４に差し込むと、ボタン２７を押したままハンドル２２を下方（図８に示すＣ方向）に移動させ、鍵棒２３の先端部分を上方（図８に示すＤ方向）に移動させる。これにより、解錠部材１７によってフック１５が持ち上げられ、フック１５の先端部分が受け部材１６から外れる。即ち、乗場ドア１１が解錠される。
【００５６】
本実施の形態に示す例をプッシュ式の解錠工具２１に適用しても良い。かかる場合、鍵棒２３は、ハンドル２２からの突出量が変化するようにハンドル２２に設けられる。この例では、鍵棒２３を鍵孔１４に差し込んで単にハンドル２２を乗場ドア１１に近づけても、鍵棒２３がハンドル２２に押し込まれてしまい、解錠部材１７を昇降路３側に移動させることができない。鍵棒２３は、ボタン２７が押されることによってハンドル２２に対して解錠位置に固定される。即ち、鍵棒２３は、ボタン２７が押された状態ではハンドル２２からの突出量が変化しない。例えば、鍵棒２３は、ボタン２７が押されると、ハンドル２２からの突出量が最も大きくなる位置でハンドル２２に対して固定される。
【００５７】
乗場ドア１１を解錠する場合、担当者は、例えばボタン２７を押したまま、解錠工具２１の鍵棒２３を乗場ドア１１の表面１１ｂ側から鍵孔１４に差し込む。なお、ボタン２７が押されることにより、ブザー２６が鳴動する。ブザー２６から発せられる音により、乗場ドア１１を解錠しようとしている担当者に注意を喚起することができる。担当者は、鍵棒２３を鍵孔１４に差し込むと、ボタン２７を押したままハンドル２２を乗場ドア１１に近づけ、解錠部材１７を昇降路３側に移動させる。これにより、フック１５が持ち上げられ、フック１５の先端部分が受け部材１６から外れる。即ち、乗場ドア１１が解錠される。
【００５８】
本実施の形態において、ブザー２６は、操作片に対して特定の操作が行われると警報を発する警報器の一例である。解錠工具２１は、ブザー２６の代わりに他の警報器を備えても良い。
【００５９】
実施の形態１及び２では、乗場ドア１１が解錠されたことがスイッチ１８によって検出される。乗場ドア１１が開いた時にかご１の位置を確認し易くするため、乗場ドア１１が解錠されたことがスイッチ１８によって検出されると、かご１に設けられたランプを点灯或いは点滅させても良い。例えば、乗場ドア１１が解錠されたことがスイッチ１８によって検出されると、かご１の上に設けられたランプとかご１の下に設けられたランプとが点滅する。また、ランプの点滅と同時に、かご１に設けられた警報器から警告音が発せられても良い。
【符号の説明】
【００６０】
１  かご、  ２  つり合いおもり、  ３  昇降路、  ４  主ロープ、  ５  巻上機、  ６  駆動綱車、  ７  制御装置、  ８  かごドア、  ９  駆動装置、  １０  乗場、  １１  乗場ドア、  １１ａ  裏面、  １１ｂ  表面、  １２  錠装置、  １３  乗場三方枠、  １４  鍵孔、  １５  フック、  １６  受け部材、  １７  解錠部材、  １８  スイッチ、  １９  軸、  ２０  取付部材、  ２１  解錠工具、  ２２  ハンドル、  ２２ａ  端面、  ２２ｂ  接点、  ２３  鍵棒、  ２４  スリーブ、  ２４ａ  接点、  ２５  ばね、  ２６  ブザー、  ２７  ボタン、  ３０  部材
【図１】
2020111439.tif 000003
【図２】
2020111439.tif 000004
【図３】
2020111439.tif 000005
【図４】
2020111439.tif 000006
【図５】
2020111439.tif 000007
【図６】
2020111439.tif 000008
【図７】
2020111439.tif 000009
【図８】
2020111439.tif 000010
【図９】
2020111439.tif 000011
【図１０】
2020111439.tif 000012
【図１１】
2020111439.tif 000013
【図１２】
2020111439.tif 000014